(57)【要約】【課題】  内燃機関に取り付けられた複数のセンサからの計測データを、無線通信により収集する内燃機関の無線データ収集装置を提供する。【解決手段】  無線データ収集装置１０は、運転状態を計測する無線センサユニット１２を内燃機関の複数箇所に配設し、前記各無線センサユニット１２の少なくとも１つ以上は他の前記無線センサユニット１２の通信距離内に配設され、少なくとも１つ以上の前記無線センサユニット１２の通信距離内に、前記無線センサユニット１２と双方向の無線通信手段１４を接続した演算表示装置１６を設けた構成とした。【選択図】    図１
2006070803.tif 000002
【特許請求の範囲】
【請求項１】
運転状態を計測する無線センサユニットを内燃機関の複数箇所に配設し、
前記各無線センサユニットの少なくとも１つ以上は他の前記無線センサユニットの通信距離内に配設され、
少なくとも１つ以上の前記無線センサユニットの通信距離内に、前記無線センサユニットと双方向の無線通信手段を接続した演算表示装置を設けた、
ことを特徴とする内燃機関の無線データ収集装置。
【請求項２】
前記無線センサユニットは、内燃機関の運転状態を計測するセンサ部と、前記センサ部の計測結果を出力する無線通信部と、少なくとも前記無線通信部への電力供給部とを備えたことを特徴とする請求項１に記載の内燃機関の無線データ収集装置。
【請求項３】
前記センサ部は、圧力センサ、温度センサ、油温センサ、振動センサ、音響センサ、ガスセンサ、加速度センサ、酸素濃度センサの何れか１つまたは任意の組み合わせからなることを特徴とする請求項２に記載の内燃機関の無線データ収集装置。
【請求項４】
複数の前記無線センサユニットにより無線センサユニット群を形成し、前記無線センサユニット群内で自律的に複数の無線通信経路を選択することを特徴とする請求項１ないし３のいずれかに記載の内燃機関の無線データ収集装置。
【請求項５】
前記無線センサユニットにより構築する無線ネットワークに、無線通信を中継する無線中継ユニットを設けたことを特徴とする請求項１ないし４のいずれかに記載の内燃機関の無線データ収集装置。
【請求項６】
前記無線センサユニット同士の無線通信と、前記無線センサユニットと前記無線通信手段との無線通信とに、ブルートゥースを用いることを特徴とする請求項１に記載の内燃機関の無線データ収集装置。
【発明の詳細な説明】
【技術分野】
【０００１】
本発明は内燃機関の無線データ収集装置に係り、特に発電用や船舶推進用等に用いられている内燃機関に取り付けられた複数のセンサから情報を得る内燃機関の無線データ収集装置に関する。
【背景技術】
【０００２】
発電用や船舶推進用に用いられている大型ディーゼルエンジン設備において、エンジンを安全かつ効率的に運転するために、吸気温度、排気温度、エンジン回転数、油圧、燃料圧力、排気中の酸素濃度や窒素酸化物濃度等を計測する必要がある。そのためにエンジン各部に多数のセンサを取り付け、また一部のセンサとデータ収集装置を配線で接続して、センサ出力を集中管理している。データ収集装置は安全上の問題からエンジン本体とは離れた場所に設置した制御室に置かれることが多い。
【０００３】
また特許文献１には、大型ディーゼルエンジンに圧力センサと回転角センサを取り付け、これらのセンサに計測装置を接続してセンサの計測データを収集し、メモリカードを用いて前記計測データをコンピュータに読み込んで、このコンピュータでデータ解析することが開示されている。
【特許文献１】特開２０００−１８６６１１号公報
【発明の開示】
【発明が解決しようとする課題】
【０００４】
しかしながら、大型のエンジン各部に多数の配線を敷設するためには、長大な配線と多数のコネクタが必要であり、その費用がかさむ問題点がある。またこの費用に加えて、配線敷設に要する人件費、配線カバー等の安全対策のための付帯設備費用、配線維持にかかる追加メンテナンスコストが必要である。またディーゼルエンジンの設置スペースが限定されているために、大型ディーゼルエンジン設備において多大な配線設置スペースを確保するためには運転員巡回通路や保安設備を縮小せざるを得ず、安全上の問題が生じる。これら費用的、保安的な制約が大きいため、技術的に配線を敷設することが可能な場所であっても配線敷設を諦め、エンジン運転上不可欠な部分にのみ最小限の配線を敷設している。結果として、より効率的な運転制御や予防保全などに重要な役割を果たすエンジン各部のデータ収集が疎かになっている問題点がある。
【０００５】
また配線を敷設しなかった場所に設置されたセンサ出力を確認するためには、運転員が大型エンジン設備内を定期的に巡回してセンサ出力を読み取る必要がある。そして運転員が巡回したときにしかセンサ出力を読み取ることができないので、センサが異常値を示している場合でもその発見が遅れる可能性が高い。また運転員の労働負荷が大きくなるため、他の作業に支障をきたし、あるいは運転員を増員する必要が生じるため運転コストが上昇する問題点がある。
【０００６】
また配線敷設コストを少しでも低減するために複数の配線を束ねて敷設する場合が多いが、火災等の事故が発生した場合には多数の配線が同時に切断され、復旧が極めて困難になる問題点がある。
【０００７】
本発明は、上記問題点を解決するためになされたもので、内燃機関に取り付けられた複数のセンサからの計測データを、無線通信により収集する内燃機関の無線データ収集装置を提供することを目的とする。
【課題を解決するための手段】
【０００８】
上記目的を達成するために、本発明に係る内燃機関の無線データ収集装置は、運転状態を計測する無線センサユニットを内燃機関の複数箇所に配設し、前記各無線センサユニットの少なくとも１つ以上は他の前記無線センサユニットの通信距離内に配設され、少なくとも１つ以上の前記無線センサユニットの通信距離内に、前記無線センサユニットと双方向の無線通信手段で接続した演算表示装置を設けた、ことを特徴としている。
【０００９】
また前記無線センサユニットは、内燃機関の運転状態を計測するセンサ部と、前記センサ部の計測結果を送信する無線通信部と、少なくとも前記無線通信部への電力供給部とを備えたことを特徴としている。
【００１０】
また前記センサ部は、圧力センサ、温度センサ、振動センサ、音響センサ、ガスセンサ、加速度センサ、酸素濃度センサの何れか１つまたは任意の組み合わせからなることを特徴としている。
【００１１】
また複数の前記無線センサユニットにより無線センサユニット群を形成し、前記無線センサユニット群内で自律的に複数の無線通信経路を選択することを特徴としている。
【００１２】
また前記無線センサユニットにより構築する無線ネットワークに、無線通信を中継する無線中継ユニットを設けたことを特徴としている。
また前記無線センサユニット同士の無線通信と、前記無線センサユニットと前記無線通信手段との無線通信とに、ブルートゥースを用いることを特徴としている。
【発明の効果】
【００１３】
上述した無線データ収集装置を用いることにより、内燃機関の各部を計測して、計測した結果を無線で収集することができる。そして無線センサユニットは自律的に無線ネットワークを構築できるので、短時間で容易に内燃機関各部の計測を行うシステムを構築できる。また無線ネットワークの一部が機能しなくなっても、自律的に新たな無線ネットワークを構築できるので、計測システムとしての機能を保つことができる。
【発明を実施するための最良の形態】
【００１４】
以下に、本発明に係る内燃機関の無線データ収集装置の好ましい実施の形態について説明する。本実施の形態では、内燃機関として発電用や船舶推進用に用いられる大型ディーゼルエンジン設備を用いた形態について説明するが、本発明はこの実施の形態に限定されることはない。
【００１５】
図１に無線データ収集装置のブロック図を示す。また図２に無線センサユニットの説明図を示す。なお図２（ａ）は無線センサユニットの平面図を示し、同図（ｂ）は無線センサユニットの側面図を示す。無線データ収集装置１０は、ディーゼルエンジンの各部に配設される複数の無線センサユニット１２と、ディーゼルエンジンから離れた位置に設けられ、無線センサユニット１２と双方向の無線通信を行う無線通信手段１４と、この無線通信手段１４と接続し、前記無線センサユニット１２で計測したデータを解析・表示する演算表示装置１６とから、主に構成されている。
【００１６】
無線センサユニット１２は小型に形成され、１つ以上のセンサを備えたセンサ部１８を有している。センサ部１８はエンジン各部の運転状態を計測するものである。このためセンサ部１８に備えられる前記センサは計測対象によって異なり、例えば圧力センサ、温度センサ、油温センサ、振動センサ、音響センサ、ガスセンサ、加速度センサ、酸素濃度センサ等の何れかまたはこれらが任意に組み合わされている。また既存の計測設備から出力される電気信号、例えば回転計から回転数に比例して出力される電圧信号を測定する電位計等の計測機器もセンサとみなすことができる。さらに無線センサユニット１２は、このユニット１２自身の位置を計測する位置計測部３６や、ユニット１２が設置された場所を示す発光器３７やスピーカ３８を有している。
【００１７】
このセンサ部１８、位置計測部３６、発光器３７およびスピーカ３８はデータ処理部２２に接続されている。このデータ処理部２２は演算部２４に接続され、演算部２４はデータ記憶部２６に接続されている。演算部２４とデータ記憶部２６は、データ送受信制御を行うことができるだけの機能と記憶容量を有し、データ送受信制御部２８を構成している。すなわちデータ記憶部２６は、例えば無線センサユニット１２自身のネットワーク・アドレス、サービス・クラス等や、無線通信と計測とを制御するソフトウェア、データを送信した時刻、センサ部１８が計測したデータ等を記憶しておくものである。また演算部２４は無線で送られてきたアドレス等の情報と、データ記憶部２６が記憶しているネットワーク・アドレスとを比較し、次に何処にデータを送信するか判断している。さらに演算部２４は、センサ部１８が計測したデータを、何処の無線センサユニット１２を介して演算表示装置１６へ出力したり、無線センサユニット１２自身のアドレス情報を送信するデータに加えたり、内部クロックの管理をしたり等の処理を行っている。また演算部２４はアンテナ３０と接続されている。そしてデータ処理部２２およびデータ送受信制御部２８により無線通信部３２を構成し、この無線通信部３２は１チップ化されている。
【００１８】
また無線センサユニット１２は、無線通信部３２やセンサ部１８に電力を供給する電力供給部３４を有している。図１では電力供給部３４と、無線通信部３２やセンサ部１８との接続を省略して記載している。この電力供給部３４は一次電池、二次電池、コンデンサ、燃料電池、太陽電池、マイクロ波送電装置から出力されたマイクロ波電力を受電して電力を得るマイクロ波受電装置、またはゼーベック効果を生じる半導体素子からなり、この半導体素子に温度差が生じると電力を生じる熱電発電器等によって構成され、それ自体が外部から有線で電力供給を受けることのない電力供給源である。なお電力供給部３４をマイクロ波受電装置によって構成する場合は、ディーゼルエンジンの外部にマイクロ波送電装置を設ける必要がある。
【００１９】
また無線センサユニット１２には、無線通信を行わないときは無線センサユニット１２自身の電力消費が極めて少ないモードに切り換えるとともにセンサ部１８の電源を切り、無線通信を行うときのみ無線センサユニット１２とセンサ部１８の電源が入るように制御する機能を組み込むことができる。この一種の休眠状態と活動状態の切り換えは、無線センサユニット１２に組み込んだソフトウェアによって、または外部からの指令によって切り換えることができるので、電力供給部３４に小型の一次電池を用いた場合でも、無線通信の頻度を落せば一年以上の間、電池交換なしに無線センサユニット１２を稼動させることができる。
【００２０】
前記無線通信手段１４は、無線センサユニット１２と双方向の無線通信を行うものであり、無線センサユニット１２に設けられたアンテナ３０や無線通信部３２と同様の機能を有している。この無線通信手段１４は演算表示装置１６と接続している。そして無線通信手段１４と無線センサユニット１２の無線通信部３２とにブルートゥース技術が用いられ、無線通信手段１４と無線センサユニット１２と、および無線センサユニット１２同士はブルートゥースを用いた双方向の無線通信が行われる。
【００２１】
図３にブルートゥースを用いた無線通信の説明図を示す。ブルートゥースを用いた無線通信は、通信を制御する役割を担うチップ（マスタ）４０と、制御されるチップ（スレーブ）４２の間で通信が行われるが、無線通信部３２に組み込んだソフトウェアによって、または外部からの指令によってマスタ４０とスレーブ４２を切り換えることができる。したがって、互いの通信距離内にある複数の無線センサユニット１２を数珠繋ぎに無線で接続して、通信距離を実効的に伸ばすことが可能となる。
【００２２】
また無線センサユニット１２には無線通信が可能な近隣の無線センサユニット１２を自ら探し出し、自律的に無線ネットワークを構築するソフトウェアが組み込まれている。このため無線センサユニット１２を配設するユーザは各無線センサユニット１２間の通信距離にさえ留意していれば、実際に各無線センサユニット１２がどのような無線ネットワークを構成するかを考える必要がないため、ネットワーク構築の専門家でなくても無線ネットワークを容易に構築することが可能となる。
【００２３】
さらにネットワークを構築した後、ネットワークを構成する幾つかの無線センサユニット１２が故障するなどして当初構築したデータ転送経路が寸断されたとしても、通信可能距離内に存在する他の無線センサユニット１２を経由して新たな無線ネットワークを直ちに自律的に構築することが可能となる。
【００２４】
次に、無線ネットワークの構築について、さらに詳しく説明する。図４に無線ネットワークの構築例の説明図を示す。無線ネットワークの接続点はノードと説明されるので、無線センサユニット１２をノードと表示する。前提として、各ノードは、ノード識別のためのノード・アドレス（無線センサユニット固有もの）とともに、無線ネットワーク（ＮＷ）構築がなされたときに必要なネットワーク・アドレス（ＮＷＡＤ）を設定しておく。ノード群の中に、外部ネットワークとの接続ノード（ＰＡＳ）を導入するとともに、ここにＮＷコンフィグレーション・マネージメント機能（ＮＷＣＭＳ）をもたせる。各ノードには、サービス機能（サービス・クラスという）を設定する。また各ノードにはノード検索パケットを送受信するプログラムを格納しておく。
【００２５】
このような前提のもと、無線ネットワークの形成の手段は次のように行われる。外部ネットワークとの接続機能を有するノードであるＰＡＳに対し、他のネットワークもしくはノード自身の機能により探索命令が入り、ＰＡＳはまず周辺のノード検索を行う。この問い合わせを受信できる近隣のノードＡ，Ｂは探索パケットに対してデバイス固有のノード・アドレスを通知するパケットを返す。次いで、ＰＡＳはノードＡ，Ｂに対してサービス・クラスを問い合わせ、ノードＡ，Ｂは問い合わせパケットに対して、サービス・クラスを返す。そして、ノードＰＡＳのネットワーク・コンフィグレーション・マネージメント機能（ＮＷＣＭＳ）は、ノードＰＡＳからノードＡ，Ｂに接続し、同時にＮＷＣＭＳはノードＡ，Ｂにネットワーク・アドレス（ＮＷＡＤ）を与える。こうしてノードＰＡＳ、ノードＡ，Ｂの第一のスコープが出来上がる。
【００２６】
ここでスコープとは、次のようなものと定義する。このネットワークをコンピュータと考えると、システムの部分と全体という構成を考えないと、全体のシステム記述が膨大で、その動作検証も容易ではない。その部分はプログラム的にはモジュールであるが、この空間的広がりを持つネットワークでは、空間的に一つの単位として扱ったほうがいい領域なのでスコープと表現する。一つのスコープはプログラマブル・コントローラに近い動きをすると考えてよい。スコープをつないで全体のシステムが構成される。このネットワークは外部ネットワークとの接続を前提としているので、処理体系の大きさはここで表現されている範囲には限定されない。
【００２７】
次に、ノードＰＡＳのＮＷＣＭＳはノードＡ，Ｂにデバイス探索を命じる。この命令にしたがって、ノードＡ，Ｂはそれぞれ探索パケットを送信する。近隣にあって無線受信可能なノードＣ，Ｄ，Ｅ，Ｆは探索パケットに対してデバイス固有のノード・アドレスをＡに通知するパケットを返す。同様にノードＤは探索パケットに対してデバイス固有のノード・アドレスをノードＢに通知するパケットを返す。そしてノードＡはノードＣ，Ｄ，Ｅ，Ｆに対し、またノードＢはノードＤに対してサービス・クラスを問い合わせる。これに対して、ノードＣ，Ｄ，Ｅ，Ｆは問い合わせパケットに対して、ノードＡにサービス・クラスを返し、ノードＤは探索パケットに対して、ノードＢにサービス・クラスを返すのである。ノードＡ，ＢはノードＰＡＳに対してそれぞれノード（Ｃ，Ｄ，Ｅ，Ｆ）、ノード（Ｄ）の存在、サービス・クラスを通知する。
【００２８】
ノードＰＡＳのＮＷＣＭＳはノードＡに、それぞれノードＣ，Ｅ，Ｆと接続し、それぞれにネットワーク・アドレス（ＮＷＡＤ）を付与するよう通知し、また、ノードＢにノードＤと接続し、ネットワーク・アドレス（ＮＷＡＤ）を付与するよう通知する。
【００２９】
次に、ノードＰＡＳのＮＷＣＭＳは、ノードＣ，Ｅ，Ｆ，Ｄに周辺のノードの探索を命じる。ノードＣ，Ｆ，Ｄは周辺のノードを発見できなかったが、ノードＥはＧというノードを発見した場合、ノードＣ，Ｆ，Ｄはノードが存在しないことをノードＰＡＳのＮＷＣＭＳに通知する。一方、ノードＥはノードＧのサービス・クラスを問いかけ、そのサービス・クラスを取得する。ノードＥはノードＧの存在とそのノード・アドレス、サービス・クラスをノードＰＡＳに通知する。
【００３０】
このような操作でノードＣ，Ｄ，Ｆの次ノード（ネクスト・ノード）は存在しないことが分かった。そこでネットワークの通路は、
経路１：ＰＡＳ−Ｂ−Ｄ
経路２：ＰＡＳ−Ａ−Ｃ
経路３：ＰＡＳ−Ａ−Ｆ
経路４：ＰＡＳ−Ａ−Ｅ
これが第２スコープの構成ということになる。
【００３１】
ノードＡを経由するネットワークがまだ拡張される可能性があるので、ノードＰＡＳのＮＷＣＭＳはノードＧにデバイスを探索する命令を出力する。これを受けて、ノードＧは探索パケットを送信する。これを受信可能なノードＨ，Ｉ，Ｊは探索パケットに対してデバイス固有のノード・アドレスをノードＧに通知するパケットを返す。そしてノードＧはノードＨ，Ｉ，Ｊに対してサービス・クラスを問い合わせ、ノードＨ，Ｉ，Ｊは問い合わせパケットに対して、ノードＧにサービス・クラスを返すとともに、ノードＧはノードＨ，Ｉ，Ｊの存在、サービス・クラスをノードＰＡＳに通知する。ノードＰＡＳのＮＷＣＭＳは、ノードＧを介してノードＨ，Ｉ，Ｊへそれぞれネットワーク・アドレスを通知する。次に、ノードＰＡＳのＮＷＣＭＳはノードＨ，Ｉ，Ｊに対してノードの探索を命じる。
【００３２】
このように本実施形態では、起点となるノード（ＰＡＳ）から通信可能なノードを探し、起点ノードに格納したプログラムにより、通信できたノードへネットワーク・アドレスと同時に各ノードが発揮できる機能（サービス・クラス）が起点ノードのプログラムに返される。探索されたノードへは更に次のノードを探索する命令が発せられ、これを次々繰り返していくことにより、探索できない最終ノードを得て、ネットワークが完成するのである。
【００３３】
なおノードＰＡＳのＮＷＣＭＳは一定時刻、一定時間間隔やイベントに際し、このネットワークが維持されているかどうかを、自己判断する。例えば、ノードＰＡＳからそれぞれのノードに問い合わせをし、その応答の時間、ホップ数などから判断する。そして必要があると判断するときは、最初からの操作を再度行い、構成をリフレッシュするようにすればよい。
【００３４】
このような無線データ収集装置１０の無線センサユニット１２は、ディーゼルエンジン設備の所望の場所に配設される。図５にディーゼルエンジンの各部に無線センサユニット１２を配設したときの説明図を示す。図５に示すように、例えばセンサとして酸素濃度センサを設けた無線センサユニット１２ａを排気管５２に、温度センサを設けた無線センサユニット１２ｂを吸気口、排気口およびクランクベアリング５４に、振動センサと圧力センサを設けた無線センサユニット１２ｃをディーゼルエンジン５０の側部に、振動センサを設けた無線センサユニット１２ｄおよび油温センサを設けた無線センサユニット１２ｅを主軸受５６に配設し、ディーゼルエンジン５０の各部を各センサで計測して、計測データを収集している。
【００３５】
図６に無線センサユニット１２により構築した無線ネットワークの説明図を示す。無線センサユニット１２間が無線通信（概ね３０ｍ程度）に不都合なほど離れている場合には、無線通信の中継のために無線センサユニット１２を追加設置する。すると各無線センサユニット１２は少なくとも１つ以上の他の無線センサユニット１２と無線通信可能な距離内に置かれる。そして、例えば大型ディーゼルエンジン５０の各シリンダの排気温度および吸気温度を測定するために、排気管５２および吸気管に無線センサユニット１２を１つずつ配設した場合、各シリンダ間の距離は数ｍ以内であるため、各無線センサユニット１２は複数の無線センサユニット１２の通信可能な距離内に置かれることになる。
【００３６】
したがって、ディーゼルエンジン５０の各部に配設された複数の無線センサユニット１２からなる無線センサユニット群が自律的に無線ネットワークを構築して、複数の通信経路を選択することになり、１つの通信経路が寸断された場合でも無線ネットワークの健全性を保つことが可能となる。また無線センサユニット群の数が無線通信を行うエリアに対して「疎」である場合には、複数の通信経路の設定を容易にしてネットワークの冗長性を増すために、中継のための無線センサユニット１２を追加配設すればよい。なお中継のための無線センサユニット１２には必ずしもセンサ部１８を搭載する必要はなく、無線中継するだけの機能、すなわちアンテナ、データ送受信制御部および電力供給部を持った無線中継ユニットを追加配設してもよい。
【００３７】
また大型ディーゼルエンジン５０設備の各所に設置された無線センサユニット群の中の少なくとも１つ、好ましくは複数の無線センサユニット１２と無線通信可能な距離内に無線通信手段１４が設置される。この無線通信手段１４にもブルートゥース技術が用いられているので、無線通信手段１４と無線センサユニット１２との間で双方向の無線通信を行える。また無線通信手段１４は演算表示装置１６とケーブルで接続され、双方向のデータ通信を行っている。
【００３８】
そして無線センサユニット１２のセンサ部１８および位置計測部３６で計測された計測データは、データ処理部２２において、例えばアナログからディジタル信号に変換されたり、１２ｂｉｔのディジタル信号を１０ｂｉｔの信号に変換されたり等の処理がされた後、演算部２４に出力される。また計測データは、演算部２４において、例えばデータを何処に送信するか、すなわちデータをどの無線センサユニット１２を中継させて演算表示装置１６へ出力するか等の判断がなされる。そして計測データはアンテナ３０を介して無線送信される。この無線送信された計測データは、演算部２４で判断された無線センサユニット１２を介して無線通信手段１４へ出力される。そして前記計測データは無線通信手段１４で受信された後、演算表示装置１６へ出力される。演算表示装置１６では各無線センサユニット１２の位置データと計測データから、ディーゼルエンジン５０各部の計測結果、例えば排気管５２の酸素濃度や、吸気口、排気口およびクランクベアリング５４の温度等が表示される。
【００３９】
このような無線データ収集装置１０では、ディーゼルエンジン５０各部の計測を行うシステムを、従来の有線方式に比べて低コストで実現することができる。また配線敷設のための追加スペースが不要であり、短時間にディーゼルエンジン５０各部の計測を行うシステムを構築できるので、既存のディーゼルエンジン５０設備に容易に追加装備することができる。その結果、従来よりも多くの箇所から温度等データ収集が可能になり、高度な運転制御やメンテナンスが容易になるため、燃費の向上や排ガスの清浄化に役立てることができる。
【００４０】
また運転員が定期的に巡回してセンサ出力を確認する必要がなくなり、大幅に手間が低減するので、運転員の削減等によりランニングコスト低減が可能であり、また故障の早期発見が容易になる。
【００４１】
また各センサと演算表示装置１６とをケーブルにより接続した有線セットワークの場合、火災等の事故により長大な配線の一部にでも損傷を受けたときには有線ネットワークが寸断されてしまうが、本実施の形態の無線データ収集装置１０では無線センサユニット１２が損傷を受けない限り無線ネットワークが損傷することはない。また仮に無線ネットワークを構成する無線センサユニット１２の一部が事故等により機能しなくなっても、損傷した無線センサユニット１２を中継点として活用していた無線センサユニット１２が無線通信可能な距離内にある損傷していない別の無線センサユニット１２を用いて、新たな無線ネットワークを構築することができる。すなわち事故等の不測の事態に対しても、計測システムとしての機能の保全が保たれやすい無線ネットワークを構築することができる。
【図面の簡単な説明】
【００４２】
【図１】無線データ収集装置のブロック図である。
【図２】無線センサユニットの説明図である。
【図３】ブルートゥースを用いた無線通信の説明図である。
【図４】無線ネットワークの構築例の説明図である。
【図５】ディーゼルエンジンの各部に無線センサユニットを配設したときの説明図である。
【図６】無線センサユニットにより構築した無線ネットワークの説明図である。
【符号の説明】
【００４３】
１０………無線データ収集装置、１２………無線センサユニット、１４………無線通信手段、１６………演算表示装置、１８………センサ部、２８………データ送受信制御部、３０………アンテナ、３２………無線通信部、３４………電力供給部、５０………ディーゼルエンジン。
【図１】
2006070803.tif 000003
【図２】
2006070803.tif 000004
【図３】
2006070803.tif 000005
【図４】
2006070803.tif 000006
【図５】
2006070803.tif 000007
【図６】
2006070803.tif 000008